(57)【要約】【課題】光源から照射された光束を効率よく利用することが可能な照明装置を提供する。【解決手段】光源１０から照射された光のうち、リフレクタ２０に入射しない光を平行光に変換するレンズ３０が、【数１】2004326000.tif 000028を満たすように形成され、レンズ３０の前側焦点位置をリフレクタ２０の焦点位置に一致させて配置されていることを特徴とする。ただし、Ｌはレンズ３０の半径であり、ｆ２はレンズ３０の焦点距離であり、Ｙｍａｘはリフレクタ２０の最大半径であり、Ｘｍａｘはリフレクタ２０の最大深さであり、ｆ１はリフレクタ２０の第１焦点距離である。【選択図】        図１
2004326000.tif 000002
【特許請求の範囲】
【請求項１】
光源における発光部または前記光源におけるパッケージのレンズ効果によってできる虚像が、凹面鏡の第１焦点位置に配置された照明装置であって、
前記光源から照射された光のうち、前記凹面鏡に入射しない光を平行光に変換するレンズが、
【数１】
2004326000.tif 000023
を満たすように形成され、
前記レンズの前側焦点位置を前記凹面鏡の第１焦点位置に一致させて、前記レンズが配置されていることを特徴とする照明装置。
ただし、Ｌは前記レンズの半径であり、ｆ２は前記レンズの焦点距離であり、Ｙｍａｘは前記凹面鏡の最大半径であり、Ｘｍａｘは前記凹面鏡の最大深さであり、ｆ１は前記凹面鏡の第１焦点距離である。
【請求項２】
前記凹面鏡の反射面形状は、
【数２】
2004326000.tif 000024
を満たすように形成されていることを特徴とする請求項１に記載の照明装置。
ただし、Ｘは光軸方向の座標値であり、Ｙは凹面鏡の半径方向の座標値である。
【請求項３】
前記レンズの半径Ｌは、
【数３】
2004326000.tif 000025
を満たすように形成されていることを特徴とする請求項１または２に記載の照明装置。
ただし、βは光軸に対する前記光源の配光限界角度である。
【請求項４】
前記光源は、光軸に対する配光限界角度が９０°程度の固体光源であり、
前記レンズの半径Ｌは、
【数４】
2004326000.tif 000026
を満たすように形成され、
前記レンズの焦点距離ｆ２は、
【数５】
2004326000.tif 000027
を満たすように形成されていることを特徴とする請求項１ないし３のいずれかに記載の照明装置。
【請求項５】
請求項１ないし４のいずれかに記載の照明装置と、
前記照明装置から照射された光が入射する光変調手段と、
を備えたことを特徴とする投射型表示装置。
【発明の詳細な説明】
【０００１】
【発明の属する技術分野】
本発明は、照明装置および投射型表示装置に関するものである。
【０００２】
【従来の技術】
照射装置から照射された光を液晶ライトバルブ等の光変調手段に入射させ、光変調手段から出射された映像光を投射レンズ等によりスクリーンに拡大投射させる、プロジェクタ等の投射型表示装置が広く知られている。図６（ａ）は、従来技術に係る照明装置の側面断面図である。照明装置１００には光源１１０が設けられている。一般に、光源１１０は放射状に光を照射する。そこで、光源から放射状に照射された光を後方（下流側）に反射するリフレクタ（凹面鏡）１２０が、光源１１０の側方に設けられている。なお、液晶ライトバルブ等の光変調手段に対する光の入射角が大きくなると、画像のコントラスト比が低下するという問題が生じる。そこで、反射光が平行光となるパラボラ型のリフレクタ１２０が採用されている。
【０００３】
【特許文献１】
特開平１０−３１１９４４号公報
【０００４】
【発明が解決しようとする課題】
しかしながら、光軸に対して所定角度α以上の角度で光源１１０から照射された光１４０はリフレクタ１２０に入射するが、所定角度α以下の角度で照射された光１４２はリフレクタ１２０に入射しない。そして、リフレクタ１２０に入射しない光１４２は放射状に直進し、投射型表示装置の画像表示に利用されない。したがって、光の利用効率が低いという問題がある。なお、光源から照射された光の強度は、光軸に対する角度が小さいほど強く、角度が大きいほど弱くなる傾向にある。そのため、光軸に対して所定角度α以下の角度で照射された光が利用できないと、光の利用効率は著しく低下することになる。また、プロジェクタ等の投射型表示装置では、スクリーン上に投射された画像の輝度の確保が重要な課題になっている。したがって、光の利用効率の低下は、投射型表示装置の性能に重大な影響を与えることになる。
【０００５】
これに対して、特許文献１には、凹レンズを用いた照明装置が開示されている。図６（ｂ）は、特許文献１に係る照明装置の側面断面図である。この照明装置２００では、楕円形状のリフレクタ２２０の第１焦点位置に、ランプ２１０の発光部が配置されている。また、リフレクタ２２０の第１焦点位置と第２焦点位置との間に、凹レンズ２３０が配置されている。そして、ランプ２１０から照射されリフレクタ２２０で反射された光２４０は、第２焦点位置に向かう途中で凹レンズ２３０に入射し、負の方向に屈折して概略平行光となる。一方、ランプ２１０から照射され直接凹レンズ２３０に入射した光２４２は、発散光となって凹レンズ２３０から出射される。
【０００６】
しかしながら、特許文献１の構成では、ランプ２１０の発光部を覆うガラス部分がレンズ効果を有するため、凹レンズ２３０の前側焦点に発光部の像を結ぶことができないという問題がある。また、ランプ２１０から照射され直接凹レンズ２３０に入射した光は発散光となるため、光の利用効率を十分に確保することができないという問題がある。
【０００７】
本発明は、上記課題を解決するためになされたものであり、光源から照射された光束を効率よく利用することが可能な照明装置の提供を目的とする。
また、画像の輝度を確保することが可能な投射型表示装置の提供を目的とする。
【０００８】
【課題を解決するための手段】
上記目的を達成するため、本発明に係る照明装置は、光源における発光部または前記光源におけるパッケージのレンズ効果によってできる虚像が、凹面鏡の第１焦点位置に配置された照明装置であって、前記光源から照射された光のうち、前記凹面鏡に入射しない光を平行光に変換するレンズが、
【数６】
2004326000.tif 000003
を満たすように形成され、前記レンズの前側焦点位置を前記凹面鏡の第１焦点位置に一致させて、前記レンズが配置されていることを特徴とする。ただし、Ｌは前記レンズの半径であり、ｆ２は前記レンズの焦点距離であり、Ｙｍａｘは前記凹面鏡の最大半径であり、Ｘｍａｘは前記凹面鏡の最大深さであり、ｆ１は前記凹面鏡の第１焦点距離である。
【０００９】
この構成によれば、光軸に対して所定角度以下の角度で光源から照射され、凹面鏡に入射しない光のすべてを、レンズに入射させて屈折により平行光に変換することができる。これにより、光源光の利用効率を向上させることができる。
【００１０】
また、前記凹面鏡の反射面形状は、
【数７】
2004326000.tif 000004
を満たすように形成されていることが望ましい。ただし、Ｘは光軸方向の座標値であり、Ｙは凹面鏡の半径方向の座標値である。この構成によれば、光軸に対して所定角度以上の角度で光源から照射された光を、凹面鏡により反射させて平行光に変換することができる。したがって、光源から照射された光のすべてを平行光に変換することが可能になり、光源光の利用効率を向上させることができる。
【００１１】
また、前記レンズの半径Ｌは、
【数８】
2004326000.tif 000005
を満たすように形成されていることが望ましい。ただし、βは光軸に対する前記光源の配光限界角度である。
また、前記光源は、光軸に対する配光限界角度が９０°程度の固体光源であり、前記レンズの半径Ｌは、
【数９】
2004326000.tif 000006
を満たすように形成され、レンズの焦点距離ｆ２は、
【数１０】
2004326000.tif 000007
を満たすように形成されていてもよい。
【００１２】
この構成によれば、光源の配光限界角度の近傍で光源から照射された光が、凹面鏡によって反射され平行光に変換された後に、後方に配置されたレンズに入射することがない。したがって、かかる光をレンズにより屈折させることなく平行光のまま出射することが可能になり、光源光の利用効率を向上させることができる。
【００１３】
一方、本発明に係る投射型表示装置は、上述した照明装置と、前記照明装置から照射された光が入射する光変調手段と、を備えたことを特徴とする。この構成によれば、上述した照明装置により光源光のすべてが平行光に変換されるので、光源光のほとんどすべてを画像表示に利用することができる。したがって、画像の輝度を確保することができる。
【００１４】
【発明の実施の形態】
以下、本発明の実施形態につき、図面を参照して説明する。なお、以下の説明に用いる各図面では、各部材を認識可能な大きさとするため、各部材の縮尺を適宜変更している。
【００１５】
［照明装置］
図１は、本実施形態に係る照明装置の側面断面図である。本実施形態に係る照明装置１は、主に、光源１０と、光源１０から照射された光を反射して平行光に変換するリフレクタ（凹面鏡）２０と、光源１０から照射された光を屈折させて平行光に変換するレンズ３０とによって構成されている。
【００１６】
光源１０として、ハロゲンランプやメタルハライドランプ、高圧水銀ランプなどを用いてもよいが、発光ダイオード（以下、ＬＥＤという）素子等の固体光源を用いてもよい。ＬＥＤ素子は、主に、ｐ型半導体およびｎ型半導体を接合したＬＥＤチップと、Ａｌ等の導電材料からなる一対の電極と、樹脂等の透明材料からなるパッケージとによって構成されている。ＬＥＤチップの一方端面は、一対の電極のうち一方の電極の上面に面接合されている。また、ＬＥＤチップの他方端面と、一対の電極のうち一方の電極の上面とは、ワイヤボンディングによって接続されている。そして、一対の電極およびＬＥＤチップの全体が、パッケージによって密閉封止されている。このパッケージは、全体をエポキシ等の熱硬化性樹脂によって形成してもよいし、固体カバーの内部にジェル等を注入して形成してもよい。なお、一対の電極からパッケージの外部にリードフレームが引き出され、外部からの通電が可能になっている。
【００１７】
ＬＥＤは、接合部に電流が流れると光を放射するダイオードである。単純なホモ接合構造のＬＥＤは、ｐ型半導体およびｎ型半導体の結晶が同じ材料で構成されたものである。ホモ接合構造のＬＥＤに順バイアス電圧を印加すると、ｎ型半導体の電子がｐ型半導体に移動し、エネルギーの高い伝導帯からエネルギーの低い価電子帯に落ちて正孔と再結合する。その際に失われるエネルギーが光として放出され、ＬＥＤが発光する。なお、放出される光の色は伝導帯と価電子帯のエネルギー差（バンドギャップ）に左右され、バンドギャップは使用する半導体材料によって決定される。たとえば、ＡｌＧａＡｓ等を使用すれば赤色に発光し、ＧａＰ等を使用すれば緑色に発光し、ＩｎＧａＮ等を使用すれば青色に発光する。このように、ＬＥＤは単色光源となる。
【００１８】
なお、ホモ接合構造のＬＥＤでは発光効率が低いため、光源１０にはダブルへテロ接合構造や量子井戸接合構造のＬＥＤを採用するのが好ましい。ダブルへテロ接合構造のＬＥＤは、ｐ型半導体およびｎ型半導体の間に、バンドギャップの小さい活性層を挟み込んだものである。ダブルへテロ接合構造のＬＥＤに順バイアス電圧を印加すると、電子および正孔は活性層に閉じ込められて密度が高くなる。これにより、効率よく再結合が行われて高い発光効率を得ることができる。また、量子井戸接合構造のＬＥＤは、ｐ型半導体およびｎ型半導体の間に、電子の波長（約１０ｎｍ）程度に薄い複数の半導体層を挟み込んだものである。量子井戸接合構造のＬＥＤに順バイアス電圧を印加すると、所定のエネルギーを有する電子および正孔のみを接合領域に集めることができる。これにより、効率よく再結合が行われて高い発光効率を得ることができる。また、波長幅が小さく単色に近い光を得ることができる。このように発光効率の高いＬＥＤを、プロジェクタ等の投射型表示装置の光源として採用することにより、画像の輝度を向上させるとともに、消費電力を低下させることができる。
【００１９】
光源１０の側方には、リフレクタ（凹面鏡）２０が配置されている。リフレクタ２０の内面は、光源からの光を反射しうるように鏡面状態とされている。ここで、図１に示すように、リフレクタ２０の基点（底点）を円筒座標系の原点にとり、光軸方向をＸ方向とし、リフレクタの半径方向をＹ方向とすれば、リフレクタの反射面形状は以下の式で表すことができる。
【数１１】
2004326000.tif 000008
ただし、ｒはリフレクタの曲率半径であり、ｋはリフレクタの形状によって決まる定数である。なお、リフレクタの基点から前側（上流側）焦点までの距離をｆ１とすれば、リフレクタの形状を問わずｒ＝２・ｆ１が成立する。ただし、ｆ１はリフレクタの第１焦点距離であって、リフレクタの基点から第１焦点位置までの距離である。一方、リフレクタの形状として、集光作用を有する球面鏡や楕円鏡を採用することも可能であるが、反射光が平行光となるパラボラ型（放物面鏡）を採用するのが好ましい。このパラボラ型の場合には、上記定数はｋ＝−１となる。これらを上式に代入してＹについて整理すれば、パラボラ型リフレクタの反射面形状は、以下の式で表すことができる。
【数１２】
2004326000.tif 000009
この式を満たすように、リフレクタ２０の反射面が形成されている。
【００２０】
そして、リフレクタ２０の第１焦点位置に、光源１０の発光部が配置されている。これにより、光源１０から照射されリフレクタ２０により反射された光は、光軸と平行な平行光になる。なお、ＬＥＤ素子などパッケージを備えた光源の場合には、パッケージがレンズ効果を発揮して虚像を結ぶ場合がある。この場合、パッケージのレンズ効果によってできる虚像がリフレクタ２０の第１焦点位置に一致するように、光源１０を配置すればよい。これにより、光源１０から照射されリフレクタ２０により反射された光は、上記と同様の平行光になる。
【００２１】
一般に、光源１０は光軸に対して所定の配光角度βの範囲に光を照射する。たとえば、ＬＥＤ素子の場合には、光軸に対して９０°の範囲内に光を照射する。そこで、光源１０の配光限界角度βより後方（下流側）のみにリフレクタ２０を設ければよい。この場合、リフレクタ２０の前方（上流側）には孔部２２が形成される。なお、この孔部２２を通してリフレクタ外部の空気が内部に流入し、光源１０が冷却される。これにより、光源１０の寿命を延長することができる。また、光源１０としてＬＥＤ素子を採用した場合には、ＬＥＤチップを冷却することにより発光効率を向上させることができる。
【００２２】
上述した孔部２２の形状について、図２を用いて説明する。図２は、配光限界角度βが９０°より小さい光源１０を採用した照明装置の側面断面図である。孔部２２の半径をＤとし、光源１０の発光部から孔部２２までの距離をａとして、数式１２に代入すれば、以下の両式が成立する。
【数１３】
2004326000.tif 000010
【数１４】
2004326000.tif 000011
さらに、数式１４のａを数式１３に代入して整理すれば、孔部２２の半径Ｄは以下の式で表すことができる。
【数１５】
2004326000.tif 000012
特に、図１に示すように、配光限界角度βが約９０°の光源を採用した場合には、半径Ｄは以下の式で表される。
【数１６】
2004326000.tif 000013
なお、配光限界角度βが９０°の場合には、光源１０の発光部の位置にリフレクタ２０の孔部２２が形成される。したがって、数式１６は、数１２のＸにｆ１を代入した場合と一致する。
【００２３】
一方、図１に示すように、光源１０の後方にはレンズ３０が配置されている。レンズ３０は、光源１０から放射状に照射された光を屈折させて平行光に変換するものである。したがって、レンズ３０には凸レンズ等の集光作用を有するレンズを採用する。このレンズ３０は、ガラスや樹脂等の透明材料からなるパイプ３５の後端に固定されている。また、パイプ３５の前端は、リフレクタ２０における孔部２２の周縁部に固定されている。このようにして、リフレクタ２０の内部にレンズ３０が固定されている。なお、パイプ３５は透明材料で形成されているので、光源１０から照射された光はパイプ３５を透過してリフレクタに入射する。したがって、光源１０からの光の利用効率を低下させることがない。
【００２４】
レンズ３０の焦点距離および半径の決定方法について、図３を用いて説明する。図３は、リフレクタ２０の孔部２２より小さいレンズ３０を採用した照明装置の側面断面図である。なお、孔部２２より小さいレンズ３０を採用した場合には、パイプ３５の後端に透明材料からなる支持部材３６を固着し、その支持部材３６の中央部にレンズ３０を固定する。
【００２５】
レンズ３０は、光源１０から放射状に照射された光のうち、リフレクタ２０に入射しない光を飲み込んで平行光に変換するものである。ここで、リフレクタに入射しない光が光軸に対してなす角度範囲をαとすれば、次式が成立する。
【数１７】
2004326000.tif 000014
ただし、Ｙｍａｘはリフレクタ２０の最大半径であって出射側開口部の半径であり、Ｘｍａｘはリフレクタ２０の最大深さであって基点から出射側開口部までの距離である。また、角度範囲αに照射されたすべての光をレンズ３０に飲み込ませるには、レンズ３０の焦点距離ｆ２および半径Ｌが次式を満たすように、レンズ３０を形成すればよい。
【数１８】
2004326000.tif 000015
また、数１７を数１８に代入すれば、次式が得られる。
【数１９】
2004326000.tif 000016
上記のように形成したレンズ３０は、その前側焦点位置がリフレクタ２０の第１焦点位置に一致するように配置されている。
【００２６】
ところで、図３とは逆に、リフレクタ２０の孔部２２より大きいレンズを採用した場合について考えてみると、光源１０の配光限界角度βの近傍で光源１０から照射された光は、リフレクタ２０によって反射され平行光に変換された後に、後方に配置されたレンズに入射することになる。この場合、レンズに入射した光はレンズによって屈折させられるので、平行光を維持することができなくなる。そこで、次式に示すように、レンズ３０の半径Ｌをリフレクタ２０の孔部２２の半径Ｄ以下に形成するのが望ましい。
【数２０】
2004326000.tif 000017
なお、リフレクタ２０の孔部２２の半径Ｄは数式１５で表される。これを言い換えれば、光源１０の配光限界角度βにおけるリフレクタ２０の半径以下となるように、レンズ３０の半径Ｌを形成することになる。この場合、リフレクタ２０によって反射された光は、レンズ３０に入射することがないので、平行光を維持することができる。したがって、光の利用効率を低下させることがない。
【００２７】
特に、図１に示すように、配光限界角度βが約９０°の光源を採用した場合であって、リフレクタ２０の孔部２２と同じ大きさのレンズ３０を採用した場合には、レンズ３０の半径Ｌは、数式１６を用いて次式で表される。
【数２１】
2004326000.tif 000018
また、レンズ３０の焦点距離ｆ２は、数式１９を用いて次式で表される。
【数２２】
2004326000.tif 000019
【００２８】
次に、本実施形態に係る照明装置の作用について、図１を用いて説明する。光源１０から放射状に照射された光のうち、光軸から角度αの範囲内に照射された光４０は、レンズ３０に入射する。レンズ３０は、この光４０を屈折させることにより平行光４１に変換して後方に出射させる。一方、光軸から角度αの範囲外に照射された光４２は、リフレクタ２０に入射する。リフレクタ２０は、この光を反射することにより平行光４３に変換して後方に出射させる。以上により、光源１０から照射された光をすべて平行光に変換して後方に出射させることができる。
【００２９】
図４に、照明装置の変形例を示す。この照明装置２では、エポキシ樹脂等の透明材料によってリフレクタ１２０およびレンズ１３０が一体形成されている。なお、リフレクタ１２０およびレンズ１３０の形状および形成位置は上記と同様である。ここで、屈折率の大きい材料から小さい材料に向かって、所定角度（全反射角）以上で光が入射した場合に、その光は両材料の境界面で全反射する。これにより、リフレクタ１３０は、光源１１０からの光１４２を反射して平行光に変換し、後方に出射させることができる。なお、上述した全反射角以内で光が入射した場合には、その光は両材料の境界面で屈折して境界面を透過する。これにより、レンズ１３０は光源１１０からの光１４０を屈折させて平行光に変換し、後方に出射させることができる。
【００３０】
以上に詳述したように、本実施形態に係る照明装置は、光源から照射された光のうち、リフレクタに入射しない光を平行光に変換するレンズを有し、そのレンズの焦点距離ｆ２および半径Ｌが、
【数２３】
2004326000.tif 000020
を満たすように形成され、レンズの前側焦点位置をリフレクタの第１焦点位置に一致させて配置されている構成とした。この構成によれば、光軸に対して所定角度以下の角度で光源から照射され、リフレクタに入射しない光のすべてを、レンズに入射させて屈折により平行光に変換することができる。これにより、光の利用効率を向上させることができる。
【００３１】
また、前記リフレクタの反射面形状は、
【数２４】
2004326000.tif 000021
を満たすように形成されている構成とした。この構成によれば、光軸に対して所定角度以上の角度で光源から照射された光を、リフレクタにより反射させて平行光に変換することができる。したがって、光源から照射された光のすべてを平行光に変換することが可能になり、光の利用効率を向上させることができる。
【００３２】
さらに、レンズの半径Ｌは、
【数２５】
2004326000.tif 000022
を満たすように形成されている構成とした。この構成によれば、光源の配光限界角度の近傍で光源から照射された光が、リフレクタによって反射され平行光に変換された後に、レンズに入射することがない。したがって、かかる光をレンズにより屈折させることなく平行光のまま出射することが可能になり、光の利用効率を向上させることができる。
【００３３】
［投射型表示装置］
図５は、本発明に係る照明装置を備えたプロジェクタの説明図である。図中、符号５１２，５１３，５１４は照明装置、５２２，５２３，５２４は液晶ライトバルブ（光変調手段）、５２５はクロスダイクロイックプリズム（色光合成手段）、５２６は投写レンズ（投写手段）を示している。
【００３４】
図５のプロジェクタ５００は、本実施形態のように構成した３個の照明装置５１２，５１３，５１４を備えている。各照明装置５１２，５１３，５１４の光源には、それぞれ赤（Ｒ）、緑（Ｇ）、青（Ｂ）に発光するＬＥＤ素子が採用されている。なお、各照明装置の後方に、光源光の照度分布を均一化させるための均一照明系として、ロッドレンズやフライアイレンズを配置してもよい。
【００３５】
赤色光源５１２からの光束は、重畳レンズ５３５Ｒを介して反射ミラー５１７で反射され、赤色光用液晶ライトバルブ５２２に入射する。また、緑色光源５１３からの光束は、重畳レンズ５３５Ｇを介して緑色光用液晶ライトバルブ５２３に入射する。また、青色光源５１２からの光束は、反射ミラー５１６で反射され、重畳レンズ５３５Ｂを介して青色光用液晶ライトバルブ５２２に入射する。なお、各光源からの光束は重畳レンズを介することにより液晶ライトバルブの表示領域において重畳され、液晶ライトバルブが均一に照明される。
【００３６】
また、各液晶ライトバルブの入射側および出射側には、偏光板（不図示）が配置されている。そして、各光源からの光束のうち所定方向の直線偏光のみが入射側偏光板を透過して、各液晶ライトバルブに入射する。また、入射側偏光板の前方に偏光変換手段（不図示）を設けてもよい。この場合、入射側偏光板で反射された光束をリサイクルして各液晶ライトバルブに入射させることが可能になり、光の利用効率を向上させることができる。
【００３７】
各液晶ライトバルブ５２２，５２３，５２４によって変調された３つの色光は、クロスダイクロイックプリズム５２５に入射する。このプリズムは４つの直角プリズムが貼り合わされ、その内面に赤色光を反射する誘電体多層膜と青色光を反射する誘電体多層膜とが十字状に形成されている。これらの誘電体多層膜によって３つの色光が合成されてカラー画像を表す光が形成される。合成された光は投写光学系である投写レンズ５２６により投写スクリーン５２７上に投写され、拡大された画像が表示される。
【００３８】
上述したように、本実施形態に係る照明装置により光源光のすべてが平行光に変換されるので、光源光のほとんどすべてを画像表示に利用することができる。したがって、画像の輝度を確保することができる。また、液晶ライトバルブ等の光変調手段に対して垂直に近い角度で光束を入射させることができるので、光変調手段においてすべての光束を変調することができる。したがって、画像のコントラスト比を向上させることができる。
【００３９】
なお、本発明の技術範囲は、上述した実施形態に限定されるものではなく、本発明の趣旨を逸脱しない範囲において、上述した実施形態に種々の変更を加えたものを含む。すなわち、実施形態で挙げた具体的な材料や構成などはほんの一例に過ぎず、適宜変更が可能である。
【図面の簡単な説明】
【図１】実施形態に係る照明装置の側面断面図である。
【図２】配光限界角度が９０°より小さい光源を採用した照明装置の側面断面図である。
【図３】リフレクタ孔部より小さいレンズを採用した照明装置の側面断面図である。
【図４】変形例に係る照明装置の側面断面図である。
【図５】実施形態に係る照明装置を備えたプロジェクタの説明図である。
【図６】従来技術に係る照明装置の側面断面図である。
【符号の説明】
１０光源  ２０リフレクタ  ３０レンズ
【図１】
2004326000.tif 000029
【図２】
2004326000.tif 000030
【図３】
2004326000.tif 000031
【図４】
2004326000.tif 000032
【図５】
2004326000.tif 000033
【図６】
2004326000.tif 000034